(57)【要約】【課題】充分な剛性を有し、挿入作業性に優れる目地材を提供する。【解決手段】建物の外壁パネルＰ間に形成される目地空間Ｇに挿入され、少なくとも、支柱本体部３に合成樹脂製の芯材４を埋設した支柱部２と、その支柱部２の屋外側に一体成形され、前記目地空間Ｇを屋外側から覆うように閉鎖するカバー部５と、前記支柱部２の左右両側面から突設され、前記外壁パネルＰの側面に弾接するリップ部６とを備える長尺状の目地材において、前記芯材４を、前記支柱本体部３の断面形状よりわずかに小さく、かつ、ほぼ相似する断面形状とする。【選択図】      図１
2005171481.tif 000002
【特許請求の範囲】
【請求項１】
建物の外壁パネル間に形成される目地空間に挿入され、少なくとも、支柱本体部に合成樹脂製の芯材を埋設した支柱部と、該支柱部の屋外側に一体成形され、前記目地空間を屋外側から覆うように閉鎖するカバー部と、前記支柱部の左右両側面から突設され、前記外壁パネルの側面に弾接するリップ部とを備える長尺状の目地材において、
前記芯材を、前記支柱本体部の断面形状よりわずかに小さく、かつ、ほぼ相似する断面形状としたことを特徴とする建物用目地材。
【請求項２】
前記支柱部の上部および下部を、中間部より肉厚の厚肉部としたことを特徴とする請求項１に記載の建物用目地材。
【請求項３】
前記芯材を、ポリプロピレンで成形したことを特徴とする請求項１または２に記載の建物用目地材。
【請求項４】
前記支柱部の厚肉部の芯材に、長手方向に沿って延びる芯線を埋設したことを特徴とする請求項１、２または３に記載の建物用目地材。
【発明の詳細な説明】
【技術分野】
【０００１】
本発明は、住宅等の建物の外壁パネル間に形成される目地空間に挿入される目地材に関するものである。
【背景技術】
【０００２】
住宅をはじめとする建物の外壁パネル間に形成される目地空間には、シール性の確保を目的として目地材が挿入される。この目地材は、通常、目地空間内に侵入する支柱部と、その支柱部の外側に位置するカバー部と、支柱部の中間部分から突設され、外壁パネルの端面に弾接するリップ部とで構成されている。また、耐久性を高めるために、支柱部に金属製の芯材を埋設したものも存在する。
【０００３】
そして、近年では、耐久性の確保と共に挿入作業性の向上を目的とし、かつ、金属製芯材のように重くなく、また錆が発生することがないように、金属以外の芯材を埋設した目地材が創案されている。
【０００４】
例えば、図４に示すように、切断作業を容易とすべく紙製芯材１０を埋設したもの（特許文献１参照）、図５に示すように、引っ張り強度を高めるために延伸加工を施した肉薄の樹脂製芯材１１を埋設したもの（特許文献２参照）、図６に示すように、長手方向への延びを防止するために、長手方向に沿って繊維強化プラスチック芯材１２を埋設したもの（特許文献３参照）、さらには、図７に示すように、折曲げ加工性を考慮して、長手方向に沿って繊維芯材１３を埋設したもの（特許文献４参照）がある。また、同様に、樹脂製で肉薄の芯材を埋設した目地材も創案されている（特許文献５、特許文献６参照）。
【特許文献１】特開平１０−２５８２３号公報
【特許文献２】特開２００１−３１０３６３号公報
【特許文献３】特開平１０−３７３２５号公報
【特許文献４】特開平１０−２８０５７０号公報
【特許文献５】実開昭６０−１８８７０４号公報（第５図）
【特許文献６】特開２００１−３０３７４３号公報（図４）
【発明の開示】
【発明が解決しようとする課題】
【０００５】
しかしながら、特許文献１に記載の紙製芯材を埋設した目地材は、剛性不足で目地空間への挿入作業性が悪いといった問題がある。また、特許文献２に記載の肉薄の樹脂製芯材を埋設したものは、肉薄であるので同様に剛性が充分でなく、挿入作業性が悪く、また、当該芯材を延伸加工するので、帯板状以外の全体の断面形状が均一でない形状に成形することが難しいといった問題がある。さらに、特許文献３に記載の繊維強化プラスチック芯材を埋設したもの、および特許文献４に記載の繊維芯材を埋設したものは、長手方向に沿ったものであるため、剛性に欠け挿入作業性が悪いといった問題がある。またさらに、特許文献５および６に記載の目地材も、芯材が肉薄であるので、剛性に問題がある。
【０００６】
そこで、本発明の目的とするところは、充分な剛性を有し、挿入作業性に優れる目地材を提供することにある。
【課題を解決するための手段】
【０００７】
上記の目的を達成するために、本発明の請求項１に記載の建物用目地材（１）は、建物の外壁パネル（Ｐ）間に形成される目地空間（Ｇ）に挿入され、少なくとも、支柱本体部（３）に合成樹脂製の芯材（４）を埋設した支柱部（２）と、その支柱部（２）の屋外側に一体成形され、前記目地空間（Ｇ）を屋外側から覆うように閉鎖するカバー部（５）と、前記支柱部（２）の左右両側面から突設され、前記外壁パネル（Ｐ）の側面に弾接するリップ部（６）とを備える長尺状の目地材において、前記芯材（４）を、前記支柱本体部（３）の断面形状よりわずかに小さく、かつ、ほぼ相似する断面形状としたことを特徴とする。
【０００８】
また、請求項２に記載の発明は、前記支柱部（２）の上部および下部を、中間部より肉厚の厚肉部（Ｔ）としたことを特徴とする。
【０００９】
さらに、請求項３に記載の発明は、前記芯材（４）を、ポリプロピレンで成形したことを特徴とする。
【００１０】
またさらに、請求項４に記載の発明は、前記支柱部（２）の厚肉部（Ｔ）の芯材（４）に、長手方向に沿って延びる芯線（７）を埋設したことを特徴とする。
【００１１】
なお、カッコ内の記号は、図面および後述する発明を実施するための最良の形態に記載された対応要素または対応事項を示す。
【発明の効果】
【００１２】
本発明の請求項１に記載の建物用目地材によれば、合成樹脂製の芯材を、支柱本体部の断面形状よりわずかに小さく、かつ、ほぼ相似する断面形状としたので、支柱部に充分な剛性を与えることができ、挿入作業性に優れる目地材を提供することができる。
【００１３】
すなわち、この芯材は、合成樹脂製であり、金属と比較して剛性は劣るものの、その断面形状が支柱本体部のそれよりわずかに小さいのみで、かつ、支柱本体部の断面形状に相似するので、支柱部のほぼ全体を占める。
従って、当該支柱部に充分な剛性を与えることができ、目地空間に容易に挿入することができる。
【００１４】
なお、この目地材は、芯材が合成樹脂製であるため、錆が発生しない、軽量である、塑性変形しない、切断が容易である、リサイクルし易い、といった多くの利点を有する。
【００１５】
また、請求項２に記載の発明によれば、請求項１に記載の発明の作用効果に加えて、支柱部の上部および下部を、支柱部の中間部より肉厚の厚肉部としたので、剛性をより高めて、挿入作業性をさらに向上させることができる。
【００１６】
さらに、請求項３に記載の発明によれば、請求項１および２に記載の発明の作用効果に加えて、芯材を、ポリプロピレンで成形したので、当該ポリプロピレンの持つ高耐久性、高耐熱性、高耐薬品性といった特質により、耐久性および耐候性に優れる目地材を提供することができる。
【００１７】
またさらに、請求項４に記載の発明によれば、請求項１，２および３に記載の発明の作用効果に加えて、厚肉部の芯材に、長手方向に沿って延びる芯線を埋設したので、引張強度を高めることができる。
【発明を実施するための最良の形態】
【００１８】
図１乃至図３を参照して、本発明の実施形態に係る建物用目地材１について説明する。図１は本発明の実施形態に係る建物用目地材１を示す部分斜視図であり、図２は図１に示す目地材１の芯材４を示す部分斜視図である。また、図３は図１に示す目地材１を目地空間Ｇに挿入した状態を示す断面図である。
【００１９】
この建物用目地材１は、一般住宅の外壁パネルＰ間に形成される目地空間Ｇに挿入されるものであり、一体成形された支柱部２、カバー部５、リップ部６および補強部８を備える。支柱部２は、支柱本体部３に合成樹脂製の芯材４を埋設して構成され、カバー部５は、その支柱部２の屋外側に一体成形され、目地空間Ｇの屋外側を見栄え良く屋外側から覆うようにして閉鎖する。また、リップ部６は、支柱部２の左右両側面から四片突設され、外壁パネルＰの側面に弾接してシール性を確保する。補強部８は、カバー部５およびリップ部６の剛性を高めるために、それらを連結する姿勢で設けられている。そして、芯材４は、支柱本体部３の断面形状よりわずかに小さく、かつ、下端部を除いて、ほぼ全体が相似する断面形状とされている。
【００２０】
なお、支柱本体部３、カバー部５、リップ部６および補強部８は、ＥＰＤＭに代表されるゴム材、あるいはＴＰＯ（オレフィン系熱可塑性エラストマー）、ＴＰＳ（スチレン系熱可塑性エラストマー）といったゴム様弾性体で成形する。また、芯材４は、タルク入りのポリプロピレンで成形することが好ましいが、ＴＰＯなどの他の合成樹脂で成形することもできる。この場合、芯材４の曲げ弾性率を１０００〜１００００Ｍｐａに設定することによって充分な剛性を得ることができる。芯材４の曲げ弾性率が１０００Ｍｐａ未満であると、充分な剛性を得ることができない。また、１００００Ｍｐａを超えると押出成形性が悪くなり、更に硬くなりすぎて柔軟性が不足し、曲げた際に折れたりわれやすくなり、取扱性が悪くなる。また、芯材４の曲げ弾性率のさらに好ましい範囲は、２０００〜６０００Ｍｐａである。
【００２１】
本実施形態に係る目地材１は、合成樹脂製の芯材４を、支柱本体部３の断面形状よりわずかに小さく、かつ、ほぼ相似する断面形状としているので、支柱部２に高い剛性を与えることができる。従って、外壁パネルＰ間の目地空間Ｇに挿入する際に、支柱部２が折れ曲がる等の弊害が発生せず、容易に挿入することができる。
また、この目地材１は、芯材４を合成樹脂製としているため、錆によって外観性が低下するといった問題が発生しない。また、軽量で、塑性変形せず、切断が容易であるので、取扱いが容易であるといった利点を持つ。また、リサイクル性にも優れる。
【００２２】
また、本実施形態に係る建物用目地材１は、支柱部２の上部および下部を、支柱部２の中間部より肉厚の厚肉部Ｔとすることにより、さらに剛性を高めて、挿入性の向上を図っている。また、厚肉部Ｔの芯材４に、長手方向に沿って延びる芯線７を埋設し、長手方向の引張強度を高めている。なお、この芯線７は、金属、樹脂、ガラス繊維等で構成する。
【００２３】
この建物用目地材１は、次のように成形することができる。
まず、第一押出機によって芯材４を押出成形する。次に、その芯材４を冷却する。この冷却は、大気中における自然冷却でも良いし、液体等による強制冷却でも良い。
そして、第二押出機によって、冷却した芯材４を送り出しながら、カバー部５、支柱本体部３、リップ部６および補強部８を一体的に同時押出成形する。これによって、芯材４を支柱本体部３に埋設した目地材１とする。
この成形方法は、第一押出機と第二押出機によって目地材１を、きわめて容易に成形することができるので、生産性に優れるといった利点がある。
【図面の簡単な説明】
【００２４】
【図１】本発明の実施形態に係る建物用目地材を示す部分斜視図である。
【図２】図１に示す目地材の芯材を示す部分斜視図である。
【図３】図１に示す目地材を目地空間に挿入した状態を示す断面図である。
【図４】従来例に係る目地材を示す断面図である。
【図５】従来例に係る目地材を示す断面図である。
【図６】従来例に係る目地材を示す断面図である。
【図７】従来例に係る目地材を示す断面図である。
【符号の説明】
【００２５】
１      目地材
２      支柱部
３      支柱本体部
４      芯材
５      カバー部
６      リップ部
７      芯線
８      補強部
１０      紙製芯材
１１      肉薄樹脂製芯材
１２      繊維強化プラスチック芯材
１３      繊維芯材
Ｔ      厚肉部
Ｇ      目地空間
Ｐ      外壁パネル
【図１】
2005171481.tif 000003
【図２】
2005171481.tif 000004
【図３】
2005171481.tif 000005
【図４】
2005171481.tif 000006
【図５】
2005171481.tif 000007
【図６】
2005171481.tif 000008
【図７】
2005171481.tif 000009